(57)【要約】      （修正有）【課題】並列合成された増幅器の発熱による電気特性の変化を防止できる並列合成増幅器を提供する。【解決手段】並列合成増幅器において、発熱量の異なるキャリヤ増幅器２ａ，及びピーク増幅器２ｂを搭載した各基板３，４及び前記基板の増幅器搭載面の裏面にある各放熱板５，６を各増幅器ごとに分離し、熱的なアイソレーションをとることにより一方の増幅器の発熱による温度上昇により他方の増幅器の電気特性が変化するのを防止する。【選択図】図１
2009272679.tif 000002
【特許請求の範囲】
【請求項１】
発熱量の異なる増幅器を複数個並列に合成した並列合成増幅器において、
前記増幅器を搭載した基板および前記基板の増幅器搭載面の裏面に設けた放熱板を、前記増幅器ごとに分離したことを特徴とする並列合成増幅器。
【請求項２】
発熱量の異なる増幅器を複数個並列に合成した並列合成増幅器において、
前記増幅器を搭載した基板の裏面に設けた放熱板を、前記増幅器ごとに分離したことを特徴とする並列合成増幅器。
【請求項３】
並列に合成された増幅器の発熱量に応じて、前記増幅器を搭載する基板に設ける放熱板の表面積を変更したことを特徴とする請求項１または請求項２記載の並列合成増幅器。
【請求項４】
発熱量の異なる増幅器を複数個並列に合成した並列合成増幅器において、
前記増幅器を搭載する基板と、
前記基板の増幅器搭載面の裏面に設けた放熱板とを備え、
発熱量の異なる増幅器間を分離する孔部を前記放熱板に形成したことを特徴とする並列合成増幅器。
【請求項５】
発熱量の異なる増幅器を複数個並列に合成した並列合成増幅器において、
前記増幅器を搭載した基板を被覆する筐体を備え、
前記基板に搭載された増幅器より発熱量の小さい増幅器を前記筐体内の側面若しくは上面に搭載したことを特徴とする並列合成増幅器。
【請求項６】
筐体内を上下に仕切り、基板に搭載された増幅器と前記筐体内の上面に搭載された増幅器とを高周波的に分離する仕切り板を設けたことを特徴とする請求項５記載の並列合成増幅器。
【請求項７】
発熱量の異なる増幅器を複数個並列に合成した並列合成増幅器において、
前記増幅器を搭載した基板を被覆する筐体と、
前記筐体内を上下に仕切る中間層部とを備え、
前記基板に搭載された増幅器より発熱量の小さい増幅器を前記中間層部に搭載したことを特徴とする並列合成増幅器。
【請求項８】
多層基板を備え、
増幅器を搭載する基板と当該増幅器より発熱量の小さい増幅器を搭載する中間層部とを前記多層基板の異なる層に形成したことを特徴とする請求項７記載の並列合成増幅器。
【請求項９】
筐体の上部に放熱板を設けたことを特徴とする請求項５から請求項８のうちのいずれか１項記載の並列合成増幅器。
【請求項１０】
基板の増幅器搭載面の裏面に放熱フィンを有する放熱板を設けたことを特徴とする請求項１から請求項９のうちのいずれか１項記載の並列合成増幅器。
【発明の詳細な説明】
【技術分野】
【０００１】
この発明は、移動体通信用増幅器、衛星通信用増幅器、レーダ用増幅器、及び地上マイクロ波通信用増幅器に適用される、複数の増幅器を並列合成した高出力の増幅器に関するものである。
【背景技術】
【０００２】
近年、移動体通信に代表される無線通信技術の需要が拡大し、音声通信に加えてより高速なデータ通信が要求されてきている。このような高速データ通信を実現するにあたり、ＯＦＤＭ（直交周波数多重変調方式：Orthogonal Frequency Division Multiplexing）が無線ＬＡＮ（Local Area Network）や放送などの分野で採用されている。
【０００３】
ＯＦＤＭによる変調波は、クレストファクタ（波形のピーク値と実効値の比）が大きいという欠点がある。このため、ＯＦＤＭによるマイクロ波信号を増幅する場合、増幅器の実動作時における平均電力と飽和電力との差として与えられるバックオフを十分大きな状態で動作させないと、波形のピーク値がなまり、信号歪みが発生する。また、信号歪みを防ぐためにバックオフを十分大きな状態で動作させると、一般的に増幅器の効率が大きく低下する。
【０００４】
上述のような不具合を回避してマイクロ波信号を増幅する技術として、例えば特許文献１に記載されるようなドハティ型増幅器が広く知られている。このドハティ型増幅器は、理論上バックオフが６ｄＢである場合と飽和時（バックオフ０ｄＢ）に最大効率が得られる。
【０００５】
また、特許文献２には、電力増幅器の放熱実装構造が開示されている。この構造は、Ｈ形の放熱器の外周にパワートランジスタを配置したものであり、パワートランジスタ以外の電子部品がパワートランジスタで発生した熱の影響を受けないようにしたことを特徴としている。
【０００６】
さらに、特許文献３に記載された電子モジュールの放熱構造では、増幅器筐体と放熱器との接合部の機械的な接触圧と接触面積を増やすことで、放熱効率の向上を図っている。
【０００７】
【特許文献１】特開平７−２２８５２号公報
【特許文献２】特開平８−３７３８７号公報
【特許文献３】特開平９−９２７６０号公報
【発明の開示】
【発明が解決しようとする課題】
【０００８】
従来の並列合成増幅器は、並列合成された増幅器のうち発熱量の大きい増幅器から発生した熱により増幅器全体の電気特性が変化する可能性があるという課題があった。以下、この課題を具体的に説明する。
【０００９】
図１０は、従来の並列合成増幅器の構成を示す斜視図である。図１０に示す従来の並列合成増幅器１００では、キャリア増幅器１０１ａとピーク増幅器１０１ｂが、合分配器１０２ａ，１０２ｂを介して並列に接続されており、これらが１枚の基板１０３上に配置されている。また、基板１０３の裏側全面には１枚の放熱板１０４が設けられる。並列接続された増幅器１０１ａ，１０１ｂのうち、キャリア増幅器１０１ａは、ピーク増幅器１０１ｂよりも発熱量が大きい。
【００１０】
並列合成増幅器１００を動作させると、キャリア増幅器１０１ａで発生した熱が、放熱板１０４を介して、発熱量の小さいピーク増幅器１０１ｂに伝わる。これにより、ピーク増幅器１０１ｂの電気特性が変化する。このような並列合成された個々の増幅器の電気特性の変化は、特に特許文献１のようなドハティ型増幅器において増幅器全体の電気特性に大きく影響を与える。
【００１１】
図１１は、従来のドハティ型増幅器における効率特性とキャリア増幅器及びピーク増幅器の消費電力特性の一例を示すグラフであり、ドハティ型増幅器の効率がバックオフ８ｄＢで高くなるように調整した場合を示している。図１１に示すように、キャリア増幅器の消費電力がピーク増幅器より大幅に大きくなっており、キャリア増幅器の発熱量がピーク増幅器と比べて非常に大きいことがわかる。
【００１２】
一般に、増幅器の発熱量が大きくなった際の放熱板の温度上昇を抑えるには、放熱板のサイズも大きくする必要がある。また、放熱板の放熱効率を示す指標として、下記式で表される熱抵抗がある。下記式において、温度差は増幅器の温度と外気の温度の差であり、熱は増幅器で発生する熱量を示している。
熱抵抗＝温度差／熱（電力）
【００１３】
また、上述した熱抵抗は、放熱板の表面積に大きく依存する。従って、図１１に示す消費電力特性を有するキャリア増幅器とピーク増幅器を用いて、図１０中の並列合成増幅器１００を構成した場合、発熱量の大きいキャリア増幅器１０１ａに合わせて放熱板１０４を形成すると発熱量の小さいピーク増幅器１０１ｂにとっては過剰放熱になり、放熱板１０４が必要以上に大きくなる。
【００１４】
さらに、放熱は放熱源を中心に温度が減少していくため、発熱量の大きい増幅器の近くに発熱量の小さい増幅器が存在すると、熱の影響を受けやすく電気特性に大きな影響を与える。
【００１５】
このように、並列合成増幅器には、並列合成された増幅器間の発熱量の違いに起因する特有の課題があり、特許文献２，３に記載されるような放熱構造をそのまま適用することができない。
【００１６】
この発明は、上記のような課題を解決するためになされたもので、並列合成された増幅器の発熱による電気特性の変化を防止できる並列合成増幅器を得ることを目的とする。
【課題を解決するための手段】
【００１７】
この発明に係る並列合成増幅器は、発熱量の異なる増幅器を複数個並列に合成した並列合成増幅器において、前記増幅器を搭載した基板および前記基板の増幅器搭載面の裏面に設けた放熱板を、前記増幅器ごとに分離したことを特徴とするものである。
【発明の効果】
【００１８】
この発明によれば、並列合成された増幅器を搭載した基板及び放熱板を増幅器ごとに分離したので、発熱量の大きい増幅器から発熱量の小さい増幅器への熱伝達を抑制することができ、並列合成された増幅器の発熱による電気特性の変化を防止できるという効果がある。
【発明を実施するための最良の形態】
【００１９】
実施の形態１．
図１は、この発明の実施の形態１による並列合成増幅器の構成を示す斜視図である。図１において、実施の形態１による並列合成増幅器１は、キャリア増幅器２ａとピーク増幅器２ｂが、合分配器７ａ，７ｂを介して並列に接続されており、これらが基板３，４，８，９上にそれぞれ配置されている。つまり、キャリア増幅器２ａは、基板３上に配置され、ピーク増幅器２ｂが基板４上に配置され、合分配器７ａが基板８上に配置され、合分配器７ｂが基板９上に配置されている。
【００２０】
また、基板３，４，８，９は、図１に示すようにそれぞれ間隔を空けて配置され、基板３，４，８，９には、同一の厚さの放熱板５，６，１０，１１がそれぞれ設けられる。並列に接続された増幅器２ａ，２ｂのうち、キャリア増幅器２ａは、ピーク増幅器２ｂよりも発熱量が大きい。
【００２１】
基板８上に設けた入力端子を介して入力された高周波信号は、合分配器７ａで増幅器２ａ，２ｂに分配され、増幅器２ａ，２ｂで電力増幅された後に合分配器７ｂで合成され、基板９上に設けた出力端子を介し高周波出力信号として出力される。
【００２２】
上述した動作においてキャリア増幅器２ａで発生した熱は、キャリア増幅器２ａの放熱板５に伝達されて放熱される。このとき、キャリア増幅器２ａの放熱板５とピーク増幅器２ｂの放熱板６は、図１に示すように間隔を空けて配置することにより分離されているので、ピーク増幅器２ｂがキャリア増幅器２ａからの熱の影響を受けにくい。
【００２３】
また、ピーク増幅器２ｂで発生した熱は、ピーク増幅器２ｂの放熱板６に伝達されて放熱される。この場合も、ピーク増幅器２ｂの放熱板６とキャリア増幅器２ａの放熱板５が間隔を空けて配置することにより分離されているので、キャリア増幅器２ａがピーク増幅器２ｂからの熱の影響を受けにくい。
【００２４】
このように、図１に示す並列合成増幅器１では、キャリア増幅器２ａとピーク増幅器２ｂの放熱板５，６を物理的に分離しているので、増幅器２ａ，２ｂについて熱的なアイソレーションをとることができる。これにより、増幅器２ａ，２ｂが互いに発生した熱の影響を受けない構造となり、一方の増幅器で発生した熱の影響で他方の増幅器の電気特性が変化するのを防止できる。
【００２５】
さらに、図１に示す並列合成増幅器１は、分離して配置された別個の基板上に個々の増幅器が実装されているので、図１０で示した１枚の基板の裏側全面に放射板を設けたドハティ型増幅器と比べ、個々の増幅器間の距離が不可避的に離れる。このため、増幅器同士のＲＦ的なアイソレーションも大きくなる。
【００２６】
図２は、実施の形態１による並列合成増幅器の他の構成を示す斜視図であり、放熱板を分離しない構成を示している。図２において、並列合成増幅器１Ａは、図１で示した並列合成増幅器１と同様に、キャリア増幅器２ａとピーク増幅器２ｂが、合分配器７ａ，７ｂを介して並列に接続されており、これらが基板３，４，８，９上にそれぞれ配置されている。
【００２７】
図１と異なる構成として、基板３，４，８，９が、図２に示すように間隔を空けずに配置され、基板３，４，８，９には１枚の放熱板１２が設けられる。この放熱板１２には、キャビティ（孔部）１３が形成されており、キャビティ１３はキャリア増幅器２ａを配置した基板３とピーク増幅器２ｂを配置した基板４との間に位置する。
【００２８】
これにより、キャビティ１３でキャリア増幅器２ａとピーク増幅器２ｂの基板３，４が物理的に分離され、増幅器２ａ，２ｂについて熱的なアイソレーションをとることができる。ただし、図２の構成は１枚の放熱板１２であり、合分配器７ａ，７ｂを通して放熱板１２が繋がっているため、図１の構成と比べて熱的なアイソレーションは小さいが、基板３，４，８，９を離して配置する必要がないので、より小型化することができる。
【００２９】
図３は、実施の形態１による並列合成増幅器の他の構成を示す斜視図であり、図１中のキャリア増幅器２ａに対応する放熱板の表面積を大きくした場合を示している。図３において、並列合成増幅器１Ｂは、図１で示した並列合成増幅器１と同様に、キャリア増幅器２ａとピーク増幅器２ｂが、合分配器７ａ，７ｂを介して並列に接続されており、これらが基板３，４，８，９上にそれぞれ配置されている。
【００３０】
図１と異なる構成として、発熱量の大きいキャリア増幅器２ａを配置した基板３に取り付ける放熱板５ａの表面積を大きくしている。つまり、並列に合成された増幅器２ａ，２ｂの発熱量に応じて、増幅器２ａ，２ｂを搭載する基板３，４に設ける放熱板５ａ，６の表面積を変更している。図３の例では、放熱板５ａの厚さを他の放熱板６，１０，１１よりも厚くして表面積を増加させることにより、放熱板５ａの熱抵抗を下げ、キャリア増幅器２ａで発生した熱の放熱効果を高めている。
【００３１】
このようにすることで、図１の構成と比べて、キャリア増幅器２ａとピーク増幅器２ｂとの熱的なアイソレーションをさらに大きくすることができる。なお、放熱板の表面積をどの程度増加させるかについては、並列合成増幅器として許容すべき寸法や熱抵抗に基づく放熱効果の概算等により適宜決定するようにしてもよい。
【００３２】
図４は、実施の形態１による並列合成増幅器の他の構成を示す斜視図である。図４において、並列合成増幅器１Ｃは、図１中の並列合成増幅器１に放熱フィン１４を取り付けている。このように、放熱効果を高めるために櫛形状の突起が形成された放熱フィン１４を取り付けることで、放熱性が高まり、キャリア増幅器２ａとピーク増幅器２ｂとの熱的なアイソレーションをさらに大きくすることができる。
【００３３】
なお、図４の例は、図１で示した並列合成増幅器１に放熱フィン１４を取り付けたが、図２、図３で示した並列合成増幅器１Ａ，１Ｂに放熱フィン１４を取り付けても、同様な効果を得ることができる。
【００３４】
以上のように、この実施の形態１によれば、並列合成された増幅器２ａ，２ｂを搭載した基板３，４及び放熱板５，６を増幅器ごとに分離したので、発熱量の大きいキャリア増幅器２ａから発熱量の小さいピーク増幅器２ｂへの熱伝達を抑制することができ、並列合成された増幅器２ａ，２ｂの発熱による電気特性の変化を防止することができる。
【００３５】
また、この実施の形態１によれば、並列に合成された増幅器２ａ，２ｂの発熱量に応じて、増幅器２ａ，２ｂを搭載する基板３，４に設ける放熱板５ａ，６の表面積を変更したので、発熱量の大きいキャリア増幅器２ａで発生した熱の放熱効果を高めることが可能である。
【００３６】
さらに、この実施の形態１によれば、増幅器２ａ，２ｂを搭載した基板３，４の裏面に設けた放熱板１２に、発熱量の異なる増幅器２ａ，２ｂ間を分離するためのキャビティ１３を設けたので、キャビティ１３によってキャリア増幅器２ａとピーク増幅器２ｂの基板３，４が物理的に分離され、増幅器２ａ，２ｂについて熱的なアイソレーションをとることができる。
【００３７】
なお、上記実施の形態１では、図１において基板と放熱板の双方を分離する例を示したが、１枚の基板で放熱板のみを増幅器等ごとに分離する構成にしてもよい。さらに、この構成において、図２のように基板上の増幅器２ａ，２ｂ間に孔部を設けた構成としても構わない。
【００３８】
実施の形態２．
図５は、この発明の実施の形態２による並列合成増幅器の構成を示す斜視図である。図５において、筐体１５の壁面を透明に記載して筐体１５内の構成を視認できるようにしている。実施の形態２による並列合成増幅器１Ｄは、キャリア増幅器２ａとピーク増幅器２ｂが合分配器７ａ，７ｂを介して並列に接続されている。
【００３９】
キャリア増幅器２ａ及び合分配器７ａが基板１２ａ上に配置され、基板１２ａを被覆する筐体１５（パッケージも含むものとする）の側面（内側面）にピーク増幅器２ｂ及び合分配器７ｂが配置されている。基板１２ａには、放熱フィン１４が設けられる。また、上記実施の形態１と同様に、並列に接続された増幅器２ａ，２ｂのうち、キャリア増幅器２ａは、ピーク増幅器２ｂよりも発熱量が大きい。
【００４０】
基板１２ａ上に設けた入力端子を介して入力された高周波信号は、合分配器７ａで増幅器２ａ，２ｂに分配され、増幅器２ａ，２ｂで電力増幅された後に合分配器７ｂで合成され、基板１２ａ上に設けた出力端子を介し高周波出力信号として出力される。
【００４１】
上述した動作においてキャリア増幅器２ａで発生した熱は、基板１２ａを介してキャリア増幅器２ａの放熱フィン１４に伝達されて放熱される。また、ピーク増幅器２ｂで発生した熱は、筐体１５の側面を介して放熱される。
【００４２】
この構成において、放熱フィン１４によるキャリア増幅器２ａの放熱効果が十分であれば、筐体１５の側面に配置したピーク増幅器２ｂとの熱的なアイソレーションがとれ、ピーク増幅器２ｂがキャリア増幅器２ａからの熱の影響を受けにくい。また、ピーク増幅器２ｂは、キャリア増幅器２ａと比べて格段に発熱量が小さいので、筐体１５の側面に配置しても放熱効果は十分である。
【００４３】
以上のように、この実施の形態２によれば、キャリア増幅器２ａを搭載した基板１２ａを被覆する筐体１５を備え、基板１２ａに搭載された増幅器２ａより発熱量の小さいピーク増幅器２ｂを筐体１５内の側面に搭載したので、並列合成された増幅器２ａ，２ｂ間の発熱量の違いに起因する電気特性の変化を防止できる。
【００４４】
また、キャリア増幅器２ａとピーク増幅器２ｂとの間を物理的に離すのに別基板を用意することなく、筐体１５の側面を利用したので、並列合成増幅器１Ｄ全体を小型化することが可能である。
【００４５】
なお、上記実施の形態２では、図５において、キャリア増幅器２ａを実装する基板１２ａに放熱フィン１４を取り付けた場合を示したが、上記実施の形態１と同様に他の放熱板を介して放熱フィン１４を取り付けるようにしてもよい。
【００４６】
実施の形態３．
図６は、この発明の実施の形態３による並列合成増幅器の構成を示す斜視図である。図６において、筐体１５Ａの壁面を透明に記載して筐体１５Ａ内の構成を視認できるようにしている。実施の形態３による並列合成増幅器１Ｅは、上記実施の形態１と同様に、合分配器を介してキャリア増幅器２ａとピーク増幅器２ｂが並列に接続される。なお、図６では、合分配器の記載を省略している。
【００４７】
キャリア増幅器２ａ及び合分配器（図６では記載省略）が基板１２ａに配置され、基板１２ａを被覆する筐体１５Ａ（パッケージも含むものとする）内に設けた中間層１６にピーク増幅器２ｂ及び合分配器（図６では記載省略）が配置される。基板１２ａには放熱フィン１４が設けられる。また、上記実施の形態１と同様に、並列に接続された増幅器２ａ，２ｂのうち、キャリア増幅器２ａは、ピーク増幅器２ｂよりも発熱量が大きい。
【００４８】
キャリア増幅器２ａとピーク増幅器２ｂは、ＲＦケーブル１７ａを介して入力側が互いに電気的に接続されており、ＲＦケーブル１７ｂを介して出力側が互いに電気的に接続されている。ＲＦケーブル１７ａ，１７ｂにより、キャリア増幅器２ａとピーク増幅器２ｂが並列合成される。
【００４９】
中間層（中間層部）１６上に設けた入力端子を介して入力された高周波信号は、不図示の合分配器（ピーク増幅器２ｂの入力に接続する合分配器）で増幅器２ａ，２ｂに分配され、増幅器２ａ，２ｂで電力増幅された後に不図示の合分配器（キャリア増幅器２ａの出力に接続する合分配器）で合成され、基板１２ａ上に設けた出力端子を介し高周波出力信号として出力される。
【００５０】
上述した動作においてキャリア増幅器２ａで発生した熱は、基板１２ａを介してキャリア増幅器２ａの放熱フィン１４に伝達されて放熱される。また、ピーク増幅器２ｂで発生した熱は、中間層１６を介して放熱される。
【００５１】
この構成において、放熱フィン１４によるキャリア増幅器２ａの放熱効果が十分であれば、中間層１６に配置したピーク増幅器２ｂとの熱的なアイソレーションがとれ、ピーク増幅器２ｂがキャリア増幅器２ａからの熱の影響を受けにくい。また、ピーク増幅器２ｂは、キャリア増幅器２ａと比べて格段に発熱量が小さいので、中間層１６に配置しても放熱効果は十分である。
【００５２】
なお、中間層１６は、多層基板を用いて実現することができる。例えば、多層基板中の異なる層に増幅器２ａ，２ｂをそれぞれ配置する。この場合、ＲＦケーブル１７ａ，１７ｂの代わりに、ヴィアホールでキャリア増幅器２ａとピーク増幅器２ｂを並列合成することにより、並列合成増幅器１Ｅをさらに小型化できる。
【００５３】
また、多層基板をセラミック又はＬＴＣＣ（Low Temperature Co-fired Ceramics）によって形成することで、ドハティ型増幅器（増幅器を配置した基板１２ａと中間層１６部分）とパッケージ（筐体１５Ａ）とを一体化でき、さらなる小型化が可能である。
【００５４】
以上のように、この実施の形態３によれば、キャリア増幅器２ａを搭載した基板１２ａを被覆する筐体１５Ｂと、筐体１５Ｂ内を上下に仕切る中間層１６とを備え、基板１２ａに搭載されたキャリア増幅器２ａより発熱量の小さいピーク増幅器２ｂを中間層１６に搭載したので、並列合成された増幅器２ａ，２ｂ間の発熱量の違いに起因する電気特性の変化を防止できる。
【００５５】
また、キャリア増幅器２ａとピーク増幅器２ｂとの間を物理的に離すのに別基板を同一平面上に配置することなく、筐体１５Ａ内の中間層１６を利用したので、並列合成増幅器１Ｅ全体を小型化することが可能である。
【００５６】
さらに、この実施の形態３によれば、基板１２ａとピーク増幅器２ｂを搭載する中間層１６とを多層基板の異なる層に形成することにより、並列合成増幅器１Ｅをさらに小型化することができる。
【００５７】
なお、上記実施の形態３では、図６において、キャリア増幅器２ａを実装する基板１２ａに放熱フィン１４を取り付けた場合を示したが、上記実施の形態１と同様に他の放熱板を介して放熱フィン１４を取り付けるようにしてもよい。
【００５８】
実施の形態４．
図７は、この発明の実施の形態４による並列合成増幅器の構成を示す斜視図である。図７において、筐体１５Ｂの壁面を透明に記載して筐体１５Ｂ内の構成を視認できるようにしている。実施の形態４による並列合成増幅器１Ｆは、上記実施の形態１と同様に、合分配器を介してキャリア増幅器２ａとピーク増幅器２ｂが並列に接続される。なお、図７では、合分配器の記載を省略している。
【００５９】
キャリア増幅器２ａ及び合分配器（図７では記載省略）が基板１２ａに配置され、基板１２ａを被覆する筐体１５Ｂ（パッケージも含むものとする）の蓋部１８の裏面にピーク増幅器２ｂ及び合分配器（図７では記載省略）を一体形成している（図７中に破線で示す）。基板１２ａには、放熱フィン１４が設けられる。また、上記実施の形態１と同様に、並列に接続された増幅器２ａ，２ｂのうち、キャリア増幅器２ａは、ピーク増幅器２ｂよりも発熱量が大きい。
【００６０】
キャリア増幅器２ａとピーク増幅器２ｂは、上記実施の形態３と同様に、ＲＦケーブル１７ａを介して入力側が互いに電気的に接続されており、ＲＦケーブル１７ｂを介して出力側が互いに電気的に接続されている。ＲＦケーブル１７ａ，１７ｂにより、キャリア増幅器２ａとピーク増幅器２ｂが並列合成される。
【００６１】
蓋部１８の裏面に設けた入力端子を介して入力された高周波信号は、不図示の合分配器（ピーク増幅器２ｂの入力に接続する合分配器）で増幅器２ａ，２ｂに分配され、増幅器２ａ，２ｂで電力増幅された後に不図示の合分配器（キャリア増幅器２ａの出力に接続する合分配器）で合成され、基板１２ａ上に設けた出力端子を介し高周波出力信号として出力される。
【００６２】
上述した動作においてキャリア増幅器２ａで発生した熱は、基板１２ａを介してキャリア増幅器２ａの放熱フィン１４に伝達されて放熱される。また、ピーク増幅器２ｂで発生した熱は、蓋部１８を介して放熱される。
【００６３】
この構成において、放熱フィン１４によるキャリア増幅器２ａの放熱効果が十分であれば、蓋部１８の裏面に配置したピーク増幅器２ｂとの熱的なアイソレーションがとれ、ピーク増幅器２ｂがキャリア増幅器２ａからの熱の影響を受けにくい。また、ピーク増幅器２ｂは、キャリア増幅器２ａと比べて格段に発熱量が小さいので、蓋部１８の裏面に配置しても放熱効果は十分である。
【００６４】
以上のように、この実施の形態４によれば、キャリア増幅器２ａを搭載した基板１２ａを被覆する筐体１５Ｂを備え、基板１２ａに搭載された増幅器２ａより発熱量の小さいピーク増幅器２ｂを筐体１５Ｂ内の上面（蓋部１８の裏面）に搭載したので、並列合成された増幅器２ａ，２ｂ間の発熱量の違いに起因する電気特性の変化を防止できる。
【００６５】
また、キャリア増幅器２ａとピーク増幅器２ｂとの間を物理的に離すのに別基板を同一平面上に配置することなく、蓋部１８の裏面を利用したので、上記実施の形態３の構成よりも増幅器全体を小型化することが可能である。ただし、ＲＦ信号の放射の影響を無くすことはできない。
【００６６】
なお、上記実施の形態４では、図７において、キャリア増幅器２ａを実装する基板１２ａに放熱フィン１４を取り付けた場合を示したが、上記実施の形態１と同様に他の放熱板を介して放熱フィン１４を取り付けるようにしてもよい。
【００６７】
実施の形態５．
図８は、この発明の実施の形態５による並列合成増幅器の構成を示す斜視図である。図８において、筐体１５Ｂの壁面を透明に記載して筐体１５Ｂ内の構成を視認できるようにしている。実施の形態５による並列合成増幅器１Ｇは、上記実施の形態１と同様に、合分配器を介してキャリア増幅器２ａとピーク増幅器２ｂが並列に接続される。なお、図８では、合分配器の記載を省略している。
【００６８】
上記実施の形態４と同様に、キャリア増幅器２ａ及び合分配器（図８では記載省略）が基板１２ａに配置され、基板１２ａを被覆する筐体１５Ｂ（パッケージも含むものとする）の蓋部１８の裏面にピーク増幅器２ｂ及び合分配器（図８では記載省略）を一体形成している（図８中に破線で示す）。基板１２ａには、放熱フィン１４が設けられる。また、上記実施の形態１と同様に、並列に接続された増幅器２ａ，２ｂのうち、キャリア増幅器２ａは、ピーク増幅器２ｂよりも発熱量が大きい。
【００６９】
また、図８に示すように、筐体１５Ｂ内には、キャリア増幅器２ａとピーク増幅器２ｂのＲＦ的なアイソレーションをとる仕切り板１９が設けられている。キャリア増幅器２ａとピーク増幅器２ｂは、仕切り板１９を貫通するＲＦケーブル１７ａを介して入力側が互いに電気的に接続されており、仕切り板１９を貫通するＲＦケーブル１７ｂを介して出力側が互いに電気的に接続されている。ＲＦケーブル１７ａ，１７ｂにより、キャリア増幅器２ａとピーク増幅器２ｂが並列合成される。
【００７０】
蓋部１８の裏面に設けた入力端子を介して入力された高周波信号は、上記実施の形態４と同様に、不図示の合分配器（ピーク増幅器２ｂの入力に接続する合分配器）で増幅器２ａ，２ｂに分配され、増幅器２ａ，２ｂで電力増幅された後に不図示の合分配器（キャリア増幅器２ａの出力に接続する合分配器）で合成され、基板１２ａ上に設けた出力端子を介し高周波出力信号として出力される。
【００７１】
上述した動作においてキャリア増幅器２ａで発生した熱は、基板１２ａを介してキャリア増幅器２ａの放熱フィン１４に伝達されて放熱される。また、ピーク増幅器２ｂで発生した熱は、蓋部１８を介して放熱される。
【００７２】
この構成では、放熱フィン１４によるキャリア増幅器２ａの放熱効果が十分であれば、蓋部１８の裏面に配置したピーク増幅器２ｂとの熱的なアイソレーションがとれ、ピーク増幅器２ｂがキャリア増幅器２ａからの熱の影響を受けにくい。また、ピーク増幅器２ｂは、キャリア増幅器２ａと比べて発熱量が小さいので、蓋部１８の裏面に配置しても放熱効果は十分である。
【００７３】
また、キャリア増幅器２ａとピーク増幅器２ｂのＲＦ的なアイソレーションをとる仕切り板１９によって、上記実施の形態４の構成と異なり、増幅器２ａ，２ｂ間でのＲＦ信号の放射による影響を抑制することができる。
【００７４】
図９は、実施の形態５による並列合成増幅器の他の構成を示す斜視図であり、図８中の蓋部１８に金属製の放熱板２０を取り付けた場合を示している。並列合成増幅器１Ｈは、高出力化に応じてピーク増幅器２ｂの発熱量が上がることに対応するための構造を有している。つまり、熱伝導のよい金属製の放熱板２０を蓋部１８に取り付けることによって、ピーク増幅器２ｂで発生した熱が、蓋部１８を介して放熱板２０に伝達され放熱される。
【００７５】
このように構成することで、各増幅器２ａ，２ｂの発熱量に差が無い場合であっても、増幅器２ａ，２ｂ間の熱的なアイソレーションをとることが可能になる上、ＲＦ的なアイソレーションもとることができる。
【００７６】
以上のように、この実施の形態５によれば、キャリア増幅器２ａを搭載した基板１２ａを被覆する筐体１５Ｂを備え、基板１２ａに搭載された増幅器２ａより発熱量の小さいピーク増幅器２ｂを筐体１５Ｂ内の上面（蓋部１８の裏面）に搭載するとともに、筐体１５Ｂ内を上下に仕切り、基板１２ａに搭載されたキャリア増幅器２ａと筐体１５Ｂ内の上面に搭載されたピーク増幅器２ｂとを高周波的に分離する仕切り板１９を設けたので、仕切り板１９によりキャリア増幅器２ａとピーク増幅器２ｂのＲＦ的なアイソレーションをとりつつ、並列合成された増幅器２ａ，２ｂ間の発熱量の違いに起因する電気特性の変化を防止できる。
【００７７】
また、キャリア増幅器２ａとピーク増幅器２ｂとの間を物理的に離すのに別基板を同一平面上に配置することなく、蓋部１８の裏面を利用したので、上記実施の形態３の構成よりも増幅器全体を小型化することが可能である。
【００７８】
さらに、この実施の形態５によれば、筐体１５の上部（蓋部１８の表面（外上面））に放熱板２０を設けたので、仕切り板１９によってキャリア増幅器２ａとピーク増幅器２ｂのＲＦ的及び熱的なアイソレーションをとりつつ、放熱板２０により増幅器２ｂの放熱効果を高めることが可能である。
【００７９】
さらに、上記実施の形態５では、図９及び図１０において、キャリア増幅器２ａを実装する基板１２ａに放熱フィン１４を取り付けた場合を示したが、上記実施の形態１と同様に他の放熱板を介して放熱フィン１４を取り付けるようにしてもよい。
【００８０】
なお、上記実施の形態１〜５では、１個のキャリア増幅器と１個のピーク増幅器とで構成される２ＷＡＹドハティ型増幅器を示したが、この構成に限定されるものではない。
例えば、１個のキャリア増幅器とｎ（ｎは２以上の整数）個のピーク増幅器とからなるｎＷＡＹドハティ型増幅器においても、上記実施の形態１〜５の概念を適用することにより、発熱量の異なる増幅器間の熱的なアイソレーションをとることができる。
ただし、ｎＷＡＹドハティ型増幅器では、キャリア増幅器の消費電力とピーク増幅器の消費電力の差が２ＷＡＹドハティ型増幅器に比べて小さいため、熱的なアイソレーションをとることにより得られる効果は小さくなる。
【図面の簡単な説明】
【００８１】
【図１】この発明の実施の形態１による並列合成増幅器の構成を示す斜視図である。
【図２】実施の形態１による並列合成増幅器の他の構成を示す斜視図である。
【図３】実施の形態１による並列合成増幅器の他の構成を示す斜視図である。
【図４】実施の形態１による並列合成増幅器の他の構成を示す斜視図である。
【図５】この発明の実施の形態２による並列合成増幅器の構成を示す斜視図である。
【図６】この発明の実施の形態３による並列合成増幅器の構成を示す斜視図である。
【図７】この発明の実施の形態４による並列合成増幅器の構成を示す斜視図である。
【図８】この発明の実施の形態５による並列合成増幅器の構成を示す斜視図である。
【図９】実施の形態５による並列合成増幅器の他の構成を示す斜視図である。
【図１０】従来の並列合成増幅器の構成を示す斜視図である。
【図１１】従来のドハティ型増幅器における効率特性とキャリア増幅器及びピーク増幅器の消費電力特性の一例を示すグラフである。
【符号の説明】
【００８２】
１，１Ａ〜１Ｈ  並列合成増幅器、２ａ  キャリア増幅器、２ｂ  ピーク増幅器、３，４，８，９，１２ａ  基板、５，５ａ，６，１０，１１，１２，２０  放熱板、７ａ，７ｂ  合分配器、１３  キャビティ（孔部）、１４  放熱フィン、１５，１５Ａ，１５Ｂ  筐体、１６  中間層（中間層部）、１７ａ，１７ｂ  ＲＦケーブル、１８  蓋部（筐体の上面）、１９  仕切り板。
【図１】
2009272679.tif 000003
【図２】
2009272679.tif 000004
【図３】
2009272679.tif 000005
【図４】
2009272679.tif 000006
【図５】
2009272679.tif 000007
【図６】
2009272679.tif 000008
【図７】
2009272679.tif 000009
【図８】
2009272679.tif 000010
【図９】
2009272679.tif 000011
【図１０】
2009272679.tif 000012
【図１１】
2009272679.tif 000013